(57)【特許請求の範囲】
【請求項１】
コンクリート基礎に止着される接着面を備えているプレートと、
脚部と該脚部から屈曲されたアーム部とを備えて、該脚部の下部側を前記プレートの上部側に対して止着される倒Ｌ字状をなす屈曲金具とを備えた連結用金物であって、
この連結用金物の前記プレートが、上部側に横向きの同一線上に４個の上側のねじ孔を等間隔に備え、かつ、各上側のねじ孔から同一間隔を離した下方にそれぞれ下側のねじ孔を備えており、
前記屈曲金具が、前記脚部の下端に備えられている脚プレート部に、前記プレートにおける隣り合う２個の上側のねじ孔と該上側のねじ孔のそれぞれの下方にある下側のねじ孔とに連通される４個の孔を備えており、
前記プレートに備えられている８個のねじ孔のうちの隣り合う２個の上側のねじ孔と該上側のねじ孔のそれぞれの下方にある下側のねじ孔に前記屈曲金具の前記脚プレート部の４個の前記孔を連通状態にして、該脚プレート部の該孔からビスを前記ねじ孔にねじ入れて該屈曲金具に前記プレートを止着するようにしてあり、
前記屈曲金具を止着した前記プレートを前記コンクリート基礎に接着したときに、
当該屈曲金具の前記脚部が前記コンクリート基礎上の土台の側方に沿って起立され、かつ、前記アーム部が該土台上に突出されるようにしてあり、
このアーム部に開設されている孔の下方から挿通されている座付きボルトを柱に備えられるホールダウン金物に締着して、前記土台を介して前記コンクリート基礎と前記柱とを連結し得るようにしてあることを特徴とする連結用金物。
【請求項２】
コンクリート基礎に止着される接着面を備えているプレートと、
脚部と該脚部から屈曲されたアーム部とを備えて、該脚部の下部側を前記プレートの上部側に対して止着される倒Ｌ字状をなす屈曲金具とを備えた連結用金物であって、
この連結用金物の前記プレートが、上部側に横向きの同一線上に４個の上側のねじ孔を等間隔に備え、かつ、各上側のねじ孔から同一間隔を離した下方にそれぞれ下側のねじ孔を備えており、
前記屈曲金具が、前記脚部の下端に備えられている脚プレート部に、前記プレートにおける隣り合う２個の上側のねじ孔と該上側のねじ孔のそれぞれの下方にある下側のねじ孔とに連通される４個の孔を備えており、
前記プレートに備えられている８個のねじ孔のうちの隣り合う２個の上側のねじ孔と該上側のねじ孔のそれぞれの下方にある下側のねじ孔に前記屈曲金具の前記脚プレート部の４個の前記孔を連通状態にして、該脚プレート部の該孔からビスを前記ねじ孔にねじ入れて該屈曲金具に前記プレートを止着するようにしてあり、
前記屈曲金具を止着した前記プレートを前記コンクリート基礎に接着したときに、
当該屈曲金具の前記脚部が前記コンクリート基礎上の土台の側方に沿って起立され、かつ、前記アーム部が該土台上に突出されるようにしてあり、
このアーム部に開設されている孔から前記土台に固定ねじをねじ込み、該土台と前記コンクリート基礎とを連結し得るようにしてあることを特徴とする連結用金物。
【請求項３】
前記プレートが、その上部側に２個の前記屈曲金具を並列状態に止着し得るようにしてあることを特徴とする請求項１又は請求項２に記載の連結用金物。
【請求項４】
前記屈曲金具が、前記土台の側方に沿う長方形状の板部と、当該土台の上面に沿う長方形状の板部とを備えており、少なくとも屈曲部を挟む前記板部の両側の長手縁から屈曲外側に張り出す補強側板部を備えていることを特徴とする請求項１、請求項２又は請求項３に記載の連結用金物。
【請求項５】
前記プレートが縦方向に長い矩形プレートであることを特徴とする請求項１、請求項２、請求項３又は請求項４に記載の連結用金物。
【発明の詳細な説明】
【技術分野】
【０００１】
この発明は、地震や台風等の建築物における柱に対して付加される当該柱の引き抜く向き外力に効果的に対処し得るようにした連結用金物の提供をするものであって、新築時における柱における引張耐力の補強手段としても、また、既設建造物に対する事後的な補強、特に、木造建築物における柱の引張耐力の補強手段として、簡易に当該補強を可能とし、かつ、確実に所期の補強効果をもたらし得るようにした連結用金物の提供に関する。
【背景技術】
【０００２】
通例の地震や台風等における柱の引張耐力を補強する場合、例えば、新しく追加した耐力壁の両側にある柱が地震動等で引き抜かれないように柱脚と土台とを断面Ｌ字状の補強金具で連結するようにしていた。
【０００３】
しかしながら、１０ｋＮを超える地震時等における柱の引張耐力の要請されるような場合には、柱をコンクリート基礎に対して、直接、連結する必要があった。
【０００４】
また、既に存在しているコンクリート基礎に補強金物を取り付けて柱の引張耐力を増すように補強をなす場合、このコンクリート基礎にラグスクリュー等で当該補強金物を取り付けたり、コンクリート基礎に打ち込みアンカーボルトを打ち込んで当該補強金物を取り付ける必要があり、このラグスクリューのねじ入れや、打ち込みアンカーボルトの打ち込みに際して、当該コンクリート基礎部分に割れや、欠損等を生ずる不具合があった。
【０００５】
また、鉄筋を備えるコンクリート基礎に対して耐震補強金具を取り付けるためにラグスクリューをねじ入れたり、打ち込みアンカーボルト用の孔を穿設する場合、埋め込まれている鉄筋が当該ねじ入れや、孔の穿設の妨げとなったり、このねじ入れや、孔の穿設によって、当該鉄筋を損傷するなどの不具合があった。
【０００６】
かかる点から、リフォーム工事において柱脚部を強固に補強する手段として、矩形断面の柱を取り囲むようにその側方三面に接着されるコの字状の柱側接合部材と、土台を介して柱を支持するコンクリート基礎の側面に接着される一対の基礎側接合部材と、連結部材とから構成し、一対の基礎側接合部材の非接着側端部を連結部材を介して柱側接合部材の２つの出隅部にそれぞれ連結できるようになし、連結部材を構成する柱側取付板及び基礎側接合部材を構成する基礎側取付板に、それぞれボルト孔を形成し、該ボルト孔にボルトを挿通してナットを螺合し得るようにした柱脚固定具が提案されている（例えば、特許文献１）。
【０００７】
【特許文献１】特開２００６−１２５０６４公開特許公報
【発明の開示】
【発明が解決しようとする課題】
【０００８】
しかしながら、コンクリート基礎に接着された連結用金物を用いて柱側に備えられるホールダウン金物との間で柱を土台に引き寄せたり、コンクリート基礎に接着された連結用金物を用いて土台を固定ねじで堅固にコンクリート基礎上に固定する手段は見受けられなかった。
【０００９】
この発明は、コンクリート基礎における堅固で平滑な面を活用して連結用金物のプレートを接着すると共に、規格化されているホールダウン金物によって柱を土台を介してコンクリート基礎に堅固に連結し、規格化されているラグスクリュー等の固定ねじを用いてコンクリート基礎に土台を堅固に固定でき、しかも、当該連結や固定を、比較的容易に、かつ、必要最小限の施工空間内においてなし得るようにした連結用金物の提供を目的としている。
【課題を解決するための手段】
【００１０】
前記課題を解決するために、第一の発明は、
コンクリート基礎に止着される接着面を備えているプレートと、
脚部と該脚部から屈曲されたアーム部とを備えて、該脚部の下部側を前記プレートの上部側に対して止着される倒Ｌ字状をなす屈曲金具とを備えた連結用金物であって、
この連結用金物の前記プレートが、上部側に横向きの同一線上に４個の上側のねじ孔を等間隔に備え、かつ、各上側のねじ孔から同一間隔を離した下方にそれぞれ下側のねじ孔を備えており、
前記屈曲金具が、前記脚部の下端に備えられている脚プレート部に、前記プレートにおける隣り合う２個の上側のねじ孔と該上側のねじ孔のそれぞれの下方にある下側のねじ孔とに連通される４個の孔を備えており、
前記プレートに備えられている８個のねじ孔のうちの隣り合う２個の上側のねじ孔と該上側のねじ孔のそれぞれの下方にある下側のねじ孔に前記屈曲金具の前記脚プレート部の４個の前記孔を連通状態にして、該脚プレート部の該孔からビスを前記ねじ孔にねじ入れて該屈曲金具に前記プレートを止着するようにしてあり、
前記屈曲金具を止着した前記プレートを前記コンクリート基礎に接着したときに、
当該屈曲金具の前記脚部が前記コンクリート基礎上の土台の側方に沿って起立され、かつ、前記アーム部が該土台上に突出されるようにしてあり、
このアーム部に開設されている孔の下方から挿通されている座付きボルトを柱に備えられるホールダウン金物に締着して、前記土台を介して前記コンクリート基礎と前記柱とを連結し得るようにしてあることを特徴とする連結用金物としてある。
【００１１】
このように構成される連結用金物では、堅牢で平滑な表面を有するコンクリート基礎面に対して当該連結用金物におけるプレートを容易に止着でき、しかも、強固に止着できることから、柱脚に備えられるホールダウン金物と併せて当該柱を土台を介してコンクリート基礎に確実に連結することが可能であり、規格化されているホールダウン金物と併せ用いることで、所期の引張耐力を補強対象柱に容易にもたらすことができる。
【００１２】
また、かかる連結用金物では、コンクリート基礎の面に接着した連結用金物における屈曲金具のアーム部を、当該コンクリート基礎の面に直交する柱の面に密接させて備えることができ、このアーム部の接する柱面に備えられているホールダウン金物との間で、当該柱をコンクリート基礎に確実に引き付け状態に連結することができる。
【００１３】
また、かかる連結用金物では、補強対象柱の直下にコンクリート基礎の周側面が存在しない場合、例えば、Ｔ字状や十字状にコンクリート基礎が備えられ、かつ、当該コンクリート基礎における入り隅側で柱の引張耐力の補強をする必要のある場合でも、当該コンクリート基礎面に当該連結用金物を容易かつ確実に接着することができ、このコンクリート基礎面に接着した連結用金物を用いて土台上に立設した柱を当該コンクリート基礎に確実に連結することができ、所期の引張耐力を備える柱の補強をなすことができる。
【００１４】
また、かかる連結用金物では、柱に備えられるホールダウン金物に都合良く連結し得る位置に屈曲金具を備えづけうることから、連結用金物から挿通された座付きボルトをホールダウン金物に無理なく締着することができる。
【００１５】
前記課題を解決するために、第二の発明は、
コンクリート基礎に止着される接着面を備えているプレートと、
脚部と該脚部から屈曲されたアーム部とを備えて、該脚部の下部側を前記プレートの上部側に対して止着される倒Ｌ字状をなす屈曲金具とを備えた連結用金物であって、
この連結用金物の前記プレートが、上部側に横向きの同一線上に４個の上側のねじ孔を等間隔に備え、かつ、各上側のねじ孔から同一間隔を離した下方にそれぞれ下側のねじ孔を備えており、
前記屈曲金具が、前記脚部の下端に備えられている脚プレート部に、前記プレートにおける隣り合う２個の上側のねじ孔と該上側のねじ孔のそれぞれの下方にある下側のねじ孔とに連通される４個の孔を備えており、
前記プレートに備えられている８個のねじ孔のうちの隣り合う２個の上側のねじ孔と該上側のねじ孔のそれぞれの下方にある下側のねじ孔に前記屈曲金具の前記脚プレート部の４個の前記孔を連通状態にして、該脚プレート部の該孔からビスを前記ねじ孔にねじ入れて該屈曲金具に前記プレートを止着するようにしてあり、
前記屈曲金具を止着した前記プレートを前記コンクリート基礎に接着したときに、
当該屈曲金具の前記脚部が前記コンクリート基礎上の土台の側方に沿って起立され、かつ、前記アーム部が該土台上に突出されるようにしてあり、
このアーム部に開設されている孔から前記土台に固定ねじをねじ込み、該土台と前記コンクリート基礎とを連結し得るようにしてあることを特徴とする連結用金物としてある。
【００１６】
このように構成される連結用金物では、堅牢で平滑な表面を有するコンクリート基礎面に対して当該連結用金物におけるプレートを容易に止着でき、しかも、強固に止着できることから、ラグスクリュー等の固定ねじで、容易に、土台をコックリート基礎に対して強固に固定することができる。
【００１７】
また、かかる連結用金物では、立設されている柱の直近の側方でも、土台をコンクリート基礎に対してラグスクリュー等の固定ねじで強固に固定することができる。
【００１８】
また、かかる連結用金物では、コンクリート基礎の両面にプレートを接着することで、土台を、当該連結用金物で挟みこむように備え付けることができ、コンクリート基礎に対して土台を確実に固定することができる。
【００１９】
また、前記構成に係る連結用金物にあって、前記プレートが、その上部側に２個の前記屈曲金具を並列状態に止着し得るようにしてある連結用金物では、随時、必要に応じて当該プレートに、一個又は二個の屈曲金具を備え付けて各種の要請に対応させて用いることが。
【００２０】
前記構成からなる連結用金物にあって、前記屈曲金具が、前記土台の側方に沿う長方形状の板部と、当該土台の上面に沿う長方形状の板部とを備えており、少なくとも屈曲部を挟む前記板部の両側の長手縁から屈曲外側に張り出す補強側板部を設けてある場合、当該屈曲金具の屈曲部に必要かつ十分な強度をもたらすことができる。
【００２１】
また、前記構成からなる連結用金物にあって、前記プレートが縦方向に長い矩形プレートとすることにより、コンクリート基礎の、より狭い面に対しても、連結用金物を容易、確実に、しかも、強固に接着することができる。
【発明の効果】
【００２２】
この発明に係る連結用金物は、コンクリート基礎の面と当該面に直交する柱の面とに備えられるホールダウン金物及び連結用金物によって、当該柱に所期の引張耐力をもたらし、あるいは、ホールダウン金物の直下に連結用金物におけるアーム部を位置付け得るようにして、狭い施工空間で、簡易に、かつ、効率良く、対象の柱に対して所期の引張耐力をもたらし、また、同一の連結用金物を用いてコンクリート基礎に土台を安定に固定させることができる。
【発明を実施するための最良の形態】
【００２３】
以下、この発明を実施するための最良の形態に係る柱の連結用金物Ａについて具体的に説明する。
【００２４】
図１〜図１７は、この発明を実施するための最良の形態に係る典型的な連結用金物Ａ及び当該連結用金物Ａを用いた柱Ｇの引き寄せや土台Ｆの固定を示したものであって、図１〜図８では、屈曲金具２０をプレート１０の上部における中央部に止着して連結用金物Ａを構成すると共に当該連結用金物Ａをコンクリート基礎Ｅに接着してホールダウン金物Ｂと共に柱Ｇの引き寄せに用いている状態を、図９及び図１０では、前記屈曲金具２０をプレート１０の上部の側方に寄せて連結用金物Ａを構成し、これをホールダウン金物Ｂと共に柱Ｇの引き寄せに用いている状態を、さらに、図１１〜図１４では、前記プレート１０の上部に屈曲金具２０を２個、並列に備え付けて連結用金物Ａを構成し、ホールダウン金物Ｂと共に柱Ｇの引き寄せに用いている状態を、図１５〜図１７では、前記プレート１０に屈曲金具２０を備え付けて連結用金物Ａを構成し、この連結用金物Ａを用いてコンクリート基礎Ｅに土台Ｆを固定する状態を示している。
【００２５】
ここに示される第一の発明を構成する連結用金物Ａは、コンクリート基礎Ｅに止着される接着面１０ａを備えているプレート１０と、脚部２１と該脚部２１から屈曲されたアーム部２２とを備えて、該脚部２１の下部側を前記プレート１０の上部側に対して横方向の所定位置で止着される倒Ｌ字状をなす屈曲金具２０とを備えて構成してある。
【００２６】
そして、この連結用金物Ａは、この連結用金物Ａを構成する前記屈曲金具２０を止着した前記プレート１０を前記コンクリート基礎Ｅに接着した際に、この屈曲金具２０の前記脚部２１が前記コンクリート基礎Ｅ上の土台Ｆの側方に沿って起立され、しかも、前記アーム部２２が前記土台Ｆ上に突出されるようにしてあって、このアーム部２２に開設されている孔２３の下方から挿通される座付きボルト４０を柱Ｇに備えられるホールダウン金物Ｂに締着することで、前記土台Ｆを介して前記コンクリート基礎Ｅと前記柱Ｇとを連結し得るようにしてある。
【００２７】
なお、ここで連結用金物Ａの止着されるコンクリート基礎Ｅは、土台Ｆを受ける立ち上がりを備えるコンクリート基礎Ｅであれば、いかなる態様の基礎であっても良く、例えば、単独基礎、布基礎等の各種のコンクリート基礎を対象とすることができる。
【００２８】
また、ここで用いられる連結用金物Ａは、コンクリート基礎Ｅに止着される接着面１０ａを備えているプレート１０と、脚部２１と該脚部２１から屈曲されたアーム部２２とを備えて、該脚部２１の下部側を前記プレート１０の上部側に対して、その横方向の所定位置で止着される倒Ｌ字状をなす屈曲金具２０とを備え、しかも、前記屈曲金具２０を止着した前記プレート１０を前記コンクリート基礎Ｅに接着した際に、当該屈曲金具２０の前記脚部２１が前記コンクリート基礎Ｅ上の土台Ｆの側方に沿って起立され、かつ、前記アーム部２２が該土台Ｆ上に突出される構成を備えるものであれば、いかなる素材によって構成してあっても、また、いかなる形状に構成してあってもよい。
【００２９】
また、ここで用いられるホールダウン金物Ｂは、前記連結用金物Ａと共に、当該ホールダウン金物Ｂで補強される柱Ｇに求められる引張耐力を備えて、当該対象柱Ｇが土台Ｆから引き抜かれることのない強度を備えるものであれば、いかなる素材、いかなる形状からなるものであってもよく、木造軸組工法等で柱脚の補強手段として義務づけられている建築基準法の引張耐力の基準を超える引張耐力を備えるものが用いられる。
【００３０】
また、ここでホールダウン金物Ｂと連結用金物Ａとを連結する座付きボルト４０は、当該ホールダウン金物Ｂの備えられる柱Ｇが地震時における振動や、台風時における引き抜き方向に向けた外力で当該柱Ｇが引き抜かれるのを効果的に防止できる強度を備えたものであれば、いかなる素材からなるものであっても、いかなる形状からなるものであってもよい。
【００３１】
このように構成される連結用金物Ａでは、堅牢で平滑な表面を有するコンクリート基礎Ｅの面Ｅａに対して当該連結用金物Ａにおけるプレート１０を容易に止着でき、しかも、強固に止着できることから、柱脚に備えられるホールダウン金物Ｂと併せて当該柱Ｇを土台Ｆを介してコンクリート基礎Ｅに確実に連結することが可能であり、規格化されているホールダウン金物Ｂと併せ用いることで、所期の引張耐力を補強対象柱Ｇに容易にもたらすことができる。
【００３２】
また、かかる連結用金物Ａでは、コンクリート基礎Ｅの面Ｅａに接着した連結用金物Ａにおける屈曲金具２０のアーム部２２を、当該コンクリート基礎Ｅの面Ｅａに直交する柱Ｇの面Ｇａに密接させて備えることができ、このアーム部２２の接する柱面Ｇａに備えられているホールダウン金物Ｂとの間で、当該柱Ｇをコンクリート基礎Ｅに確実に引き付け状態に連結することができる。
【００３３】
また、かかる連結用金物Ａでは、補強対象柱Ｇの直下にコンクリート基礎Ｅの周側面Ｅａが存在しない場合、例えば、平面形状がＴ字状や十字状にコンクリート基礎Ｅが備えられ、かつ、当該コンクリート基礎Ｅにおける入り隅側で柱Ｇの引張耐力の補強をする必要のある場合でも、当該コンクリート基礎Ｅの面Ｅａに当該連結用金物Ａを容易かつ確実に接着することができ、このコンクリート基礎Ｅの面Ｅａに接着した連結用金物Ａを用いて土台Ｆ上に立設した柱Ｇを当該コンクリート基礎Ｅに確実に連結することができ、柱Ｇを所期の引張耐力を備えるように補強することができる。
【００３４】
また、かかる連結用金物Ａでは、柱Ｇに備えられるホールダウン金物Ｂに都合良く連結し得る位置に屈曲金具２０を備えつけうることから、連結用金物Ａから挿通された座付きボルト４０をホールダウン金物Ｂに無理なく締着することができる。
【００３５】
ついで、ここで構成される第二の発明を構成する連結用金物Ａは、コンクリート基礎Ｅに止着される接着面１０ａを備えているプレート１０と、脚部２１と該脚部２１から屈曲されたアーム部２２とを備えて、該脚部２１の下部側を前記プレート１０の上部側に対して、その横方向の所定位置で止着される倒Ｌ字状をなす屈曲金具２０とを備えた構成としてある。
【００３６】
そして、この連結用金物Ａにおける前記屈曲金具２０を止着した前記プレート１０を前記コンクリート基礎Ｅに接着した際に、この屈曲金具２０の前記脚部２１が前記コンクリート基礎Ｅ上の土台Ｆの側方に沿って起立され、しかも、前記アーム部２２が前記土台Ｆ上に突出されるようにしてあって、このアーム部２２に開設されている孔２３から前記土台Ｆに固定ねじＤをねじ込むことで、この土台Ｆと前記コンクリート基礎Ｅとを連結し得るようにしてある。
【００３７】
なお、ここで連結用金物Ａの止着されるコンクリート基礎Ｅは、土台Ｆを受ける立ち上がりを備えるコンクリート基礎Ｅであれば、いかなる態様の基礎であっても良く、例えば、単独基礎、布基礎等の各種のコンクリート基礎を対象とすることができる。
【００３８】
また、ここで用いられる連結用金物Ａは、コンクリート基礎Ｅに止着される接着面１０ａを備えているプレート１０と、脚部２１と該脚部２１から屈曲されたアーム部２２とを備えて、該脚部２１の下部側を前記プレート１０の上部側に対して、その横方向の所定位置で止着される倒Ｌ字状をなす屈曲金具２０とを備えた構成としてあり、しかも、前記屈曲金具２０を止着した前記プレート１０を前記コンクリート基礎Ｅに接着した際に、この屈曲金具２０の前記脚部２１が前記コンクリート基礎Ｅ上の土台Ｆの側方に沿って起立され、かつ、前記アーム部２２が該土台Ｆ上に突出される構成としてあれば、いかなる素材によって構成してあっても、また、いかなる形状に構成してあってもよい。
【００３９】
このように構成される連結用金物Ａでは、堅牢で平滑な表面を有するコンクリート基礎Ｅの面Ｅａに対して当該連結用金物Ａにおけるプレート１０を容易に止着でき、しかも、強固に止着できることから、ラグスクリュー等の固定ねじＤで、容易に、土台Ｆをコックリート基礎Ｅに対して強固に固定することができる。
【００４０】
また、かかる連結用金物Ａでは、土台Ｆに柱Ｇが立設されている場合、その立設されている柱Ｇに直近の側方位置でも、当該土台Ｆをコンクリート基礎Ｅに対してラグスクリュー等の固定ねじＤで強固に固定することができる。
【００４１】
また、かかる連結用金物Ａでは、コンクリート基礎Ｅの両側面Ｅａ、Ｅａにプレート１０を接着することで、土台Ｆの両側から、当該土台Ｆを対をなす連結用金物Ａ、Ａで挟みこむように固定することができ、コンクリート基礎Ｅに対して土台Ｆを要請される保持力で確実に固定することができる。
【００４２】
また、前記構成に係る連結用金物Ａにあって、前記プレート１０が、その上部側に２個の前記屈曲金具２０を並列状態に止着し得るようにしてある連結用金物Ａでは、随時、必要に応じて当該プレート１０に、一個又は二個の屈曲金具２０を備え付けて各種の要請に対応させて用いることができる。
【００４３】
また、前記構成からなる連結用金物Ａにあって、前記屈曲金具２０が、前記土台Ｆの側方に沿う長方形状の板部２１ａと、当該土台Ｆの上面に沿う長方形状の板部２２ａとを備えており、少なくとも屈曲部を挟む前記板部２１ａ、２２ａの両側の長手縁から屈曲外側に張り出す補強側板部２１ｂ、２１ｂ、２２ｂ、２２ｂを備えるようにした連結用金物Ａでは、前記屈曲金具２０の屈曲部が当該補強側板部２１ｂ、２２ｂで効果的に補強される。
【００４４】
また、前記構成からなる連結用金物Ａにあって、前記プレート１０が縦方向に長い矩形プレート１０とした連結用金物Ａでは、コンクリート基礎Ｅの、狭い取り付け面Ｅａに対しても、当該連結用金物Ａを、容易、確実に、しかも、強固に接着することができる。
【００４５】
かかる連結用金物Ａの典型例を図１〜図８の図示例について具体的に説明する。
【００４６】
この図１〜図８に示される連結用金物Ａは、コンクリート基礎Ｅに止着される接着面１０ａを備えているプレート１０と、脚部２１と該脚部２１から屈曲されたアーム部２２とを備えて、該脚部２１の下部側を前記プレート１０の上部側に対して横方向の所定位置で止着される倒Ｌ字状をなす屈曲金具２０とを備えた構成としてある。
【００４７】
そして、この連結用金物Ａは、この連結用金物Ａを構成する前記屈曲金具２０を止着した前記プレート１０を前記コンクリート基礎Ｅに接着した際に、この屈曲金具２０の前記脚部２１が前記コンクリート基礎Ｅ上の土台Ｆの側方に沿って起立され、しかも、前記アーム部２２が前記土台Ｆ上に突出されるようにしてあって、このアーム部２２に開設されている孔２３の下方から挿通される座付きボルト４０を柱Ｇに備えられるホールダウン金物Ｂに締着することで、前記土台Ｆを介して前記コンクリート基礎Ｅと前記柱Ｇとを連結し得るようにしてある。
【００４８】
かかる構成からなる連結用金物Ａは、典型的には、財団法人日本住宅木材技術センターで、地震や台風等による柱Ｇの引き抜きを防ぐために柱脚をコンクリート基礎Ｅに連結する木造住宅用接合金物として認定されている金物と同等、又は、これを上回る引張耐力を備えたものとして用意される。
【００４９】
まず、当該連結用金物Ａを構成するプレート１０は、例えば、鋼板製の縦向きに長い矩形のプレート１０であって、一方の面が平滑な接着面１０ａとしてあり、かつ、他方の面１０ｂの上部側に、当該上部側の横方向の所定位置に、前記屈曲金具２０の脚部２１の下部側を止着できるように構成してある。
【００５０】
この図示例では、当該プレート１０の面１０ｂの上部側に、前記屈曲金具２０を２個、並設し得るように、当該屈曲金具２０の下部側が添装され得るようにしてあり、この面１０ｂにねじ孔１１〜１１を設け、並設される２個の各屈曲金具２０をビス２４〜２４で効果的に当該プレート１０に止着し得るようにしてある。
【００５１】
かかるプレート１０に備えられるねじ孔１１は、当該プレート１０の上部側に設けてあり、横向きに各ねじ孔１１〜１１間の間隔を均一にした４個のねじ孔１１を同一の線上に位置するように設けると共に、この各上側のねじ孔１１の垂直線の下方に同一間隔を離して下側のねじ孔１１を設け、都合８個のねじ孔１１〜１１を設けるようにしてある。
【００５２】
また、このプレート１０に備えられるねじ孔１１の横方向に位置する最外側にあるねじ孔１１から当該プレート１０の側縁との間を、前記ねじ孔１１、１１間の間隔の半分よりも短いものとしてあって、当該プレート１０の横方向の隅部に前記屈曲金具２０を装着した際に、この屈曲金具２０における脚プレート部２１ａ’の側縁端が当該プレート１０の側縁端と同一位置に位置づけて組み付け得るようにしてある。
【００５３】
また、この縦向きに長いプレート１０をコンクリート基礎Ｅに接着する際の仮止め手段としてコンクリート基礎Ｅにビス２５をねじ込むようにしてあり、当該仮止め用のビス２５の挿通用の孔１２〜１２を当該プレート１０の下部側と比較的上部側とに設けるようにしてある。
【００５４】
かかるプレート１０に連結して連結用金物Ａを構成する屈曲金具２０は前記土台Ｆの側方に沿って起立される長方形状の板部２１ａを備える脚部２１と、当該土台Ｆの上面に沿って突き出す長方形状の板部２２ａを備えるアーム部２２とを備えており、この屈曲金具２０における屈曲部を挟む縦向きの板部２１ａと横向きの板部２２ａとにわたるように当該板部２１ａ、２２ａの両側にある長手縁から、この屈曲金具２０の屈曲外側に向けて突き出すように補強側板部２１ｂ、２２ｂが設けてある。
【００５５】
この屈曲金具２０に備えられる補強側板部２１ｂ、２２ｂは、当該屈曲金具２０における長手方向の全幅にわたって設けてあっても良く、また、当該屈曲金具２０の屈曲部に所要の強度をもたらし得るものであれば、この屈曲部のみに設けてあっても良い。例えば、当該屈曲部を挟む前記板部２１ａ、２２ａの所要幅間において当該板部２１ａ、２２ａの両側から当該屈曲部を補強し得るように、屈曲外方に突き出すように設けるようにしてあってもよい。
【００５６】
かかる構成からなる屈曲金具２０は、その下方に向けて伸びる脚部２１の下端にほぼ矩形の脚プレート部２１ａ’を備えており、この脚プレート部２１ａ’に、前記ねじ孔１１に連通される４個の孔２１ｃ〜２１ｃが等間隔に設けてあり、しかも、この孔２１ｃから脚プレート部２１ａ’の側端に到る間隔を前記プレート１０におけるねじ孔１１から側端間の寸法と同一としてある。
【００５７】
かかる連結用金物Ａにおける屈曲金具２０のアーム部２２にある板部２２ａに、別途柱Ｇに備えられるホールダウン金物Ｂとの間に挿通される座付きボルト４０の挿通孔２３が、当該ホールダウン金物Ｂに都合良く挿通し得る位置に設けてある。
【００５８】
ここで連結用金物Ａに組み付けられるボルト４０は、地震や台風等によって柱Ｇにかかる引き抜き方向の外力に効果的に対応し得るものとして、財団法人日本住宅木材技術センターで、柱脚をコンクリート基礎Ｅに連結する木造住宅用接合金物として認定されているボルトと同等、又は、これを上回る引張耐力を備えたものとして用意される。
【００５９】
かかる連結用金物Ａに対応して用いられるホールダウン金物Ｂは、典型的には、財団法人日本住宅木材技術センターで、柱Ｇの引き抜きを防ぐために柱脚をコンクリート基礎Ｅに連結する木造住宅用接合金物として認定されている金物と同等、又は、これを上回る引張耐力を備えたものが用いられる。かかるホールダウン金物Ｂは、例えば、市販されているＺ金物又はその同等品を用いることができる。
【００６０】
この図示例では、典型的なホールダウン金物Ｂとして、前記連結用金物Ａの接着用意されるコンクリート基礎Ｅの面Ｅａに直交する向きにある柱面Ｇａにビス３４で止着されるホールダウン金物Ｂを示してあり、縦方向に長い矩形の鋼板製のプレート部３０の一方側の面の下部側に筒状をなすボルト挿通部３３を備えた構成としてある。より具体的には、平断面がＵ字状をなす鋼製樋状材の突き出し縁部を前記プレート部３０に、当該プレート部３０の下部側に縦向きにボルトの挿通孔を備えるボルト挿通部３３を設けるように溶着してある。また、このプレート部３０には、当該ホールダウン金物Ｂを柱面Ｇａに止着するビス３４の挿通用の孔３１〜３１を適宜設けてあると共に、このプレート部３０には、前記ボルト挿通部３３に挿通されるボルト４０を当該プレート部３０の面から浮かせるための凸部３２が設けてある。
【００６１】
前記で用意されたプレート１０に対して、屈曲金具２０の脚部２１の下部にある脚プレート部２１ａ’を、当該プレート１０における接着面１０ａと反対側にある面１０ｂの上端部に添装して、これをビス２４で止着して、所期の引張耐力を備える連結用金物Ａを構成する。
【００６２】
この図示例では、コンクリート基礎Ｅに対する接着力を効率よく引き出して、ホールダウン金物Ｂとの間で、柱Ｇをコンクリート基礎Ｅに対して、確実に引き寄せ得るように、プレート１０の上部の中央にある４個のねじ孔１１〜１１に連結用金物Ａの屈曲金具２０の脚プレート部２１ａ’の孔２１ｃを連通状態にして、ビス２４で止着し、プレート１０の上部中央に屈曲金具２０を位置づけるように連結用金物Ａを構成した。
【００６３】
かかる構成からなる連結用金物Ａの前記アーム部２２の孔２３に下方から座４０ａを軸部４０ｂに一体に備えている座付きボルト４０を挿通用意し、この連結用金物Ａにおける屈曲金具２０のアーム部２２を、当該連結用金物Ａの備え付けられるコンクリート基礎Ｅの面Ｅａに直交する向きにある土台Ｆ上の柱Ｇの面Ｇａに沿わせるように位置づけ、この状態で、プレート１０をコンクリート基礎Ｅに接着剤５０を用いて接着する。
【００６４】
かかる連結用金物Ａの接着は、当該連結用金物Ａと柱Ｇに備えられるホールダウン金物Ｂとをボルト４０で連結して引き締めた際に、財団法人日本住宅木材技術センターで、柱Ｇの引き抜きを防ぐために柱脚をコンクリート基礎Ｅに連結する木造住宅用接合金物として認定される引張耐力を備える接着強度を生ずるようにしてあり、例えば、二液タイプのエポキシ樹脂接着剤を用いて、連結用金物Ａのプレート１０をコンクリート基礎Ｅの上端縁に、当該プレート１０の上端縁を合わせるように接着し、前記孔１２から、仮止め用のビス２５をコンクリート基礎Ｅにねじ入れることで、当該プレート１０をコンクリート基礎Ｅに対して押しつけ状態に維持して、養生する。
【００６５】
ついで、コンクリート基礎Ｅ上に備えられる土台Ｆに立設されている柱Ｇの前記面Ｇａにおける前記座付きボルト４０の取り付けに都合の良い位置に、当該座付きボルト４０の軸部４０ｂをボルト挿通部３３内に受け入れた状態でホールダウン金物Ｂをビス３４で柱Ｇに止着する。
【００６６】
ついで、このボルト挿通部３３から上方に突出されているボルト４０の軸部４０ｂの雄ねじ部４０ｃにワッシャー４２を介し、又は、ワッシャーを介在させないでナット４１をねじ入れて、柱Ｇをコンクリート基礎Ｅに土台Ｆを介して引き寄せるようにして、柱Ｇの引張耐力の補強をなす。
【００６７】
なお、図示例に係る屈曲金具２０を、さらに、具体的に説明する。
【００６８】
この図示例に係る屈曲金具２０は、平断面形状がコ字状をなす脚部と、縦断面がコ字状をなすアーム部２２とで構成してある。
【００６９】
より具体的には縦向きに長い矩形の板部２１ａの下端側が脚プレート部２１ａ’としてあると共に、この板部２１ａの上端から当該脚プレート部２１ａ’迄の間にある縦向きの両側縁から前方に突き出すように直角状態に屈曲した補強側板部２１ｂ、２１ｂが当該板部２１ａに設けてある。また、この補強側板部２１ｂは、その中程から下端側に向けて漸次突き出し幅を小さくした補強側板部２１ｂ’としてあり、屈曲部の補強を必要とする部分の突き出し幅を大きく構成してある。
【００７０】
また、アーム部２２は、横向きに長い矩形の板部２２ａの両側縁から上方に突き出すように直角状態に補強側板部２２ｂ、２２ｂが設けてあると共に、この補強側板部２２ｂにおける脚部２１の側に、当該補強側板部２２ｂから一連に連続するように屈曲補強側板部２２ｂ’が延設してある。
【００７１】
この屈折補強側板部２２ｂ’は、前記補強側板部２２ｂから一連に連続して脚部２１の補強側板部２１ｂを挟むように延設されていると共に、さらに、この補強側板部２１ｂ、２１ｂを挟むように下方に屈曲して延設されており、この屈折補強板部２２ｂ’、２２ｂ’間に、前記脚部２１を構成する補強側板部２１ｂ、２１ｂが密に納まるように構成してあり、両者を強固に溶着、一体に構成してある。
なお、この屈曲金具２０では、脚部２１を構成する板部２１ａの上部側が、前記アーム部２２を構成する補強側板部２２ｂ、２２ｂ間に納まる補強部２１ａ”としてあり、この脚部２１を構成する板部２１ａの背面がアーム部２２を構成する板部２２ａの前端に密着した状態で溶着してある。
【００７２】
なお、前記補強側板部２２ｂは、前記補強部２１ｂを挟んでいる部分で最大突き出し幅としてあり、当該アーム部２２の先端に向けて漸次、その突き出し幅を小さくしてあり、屈曲部の補強に必要な部分の突き出し幅を大きく構成してある。
【００７３】
ついで、図９及び図１０に示される連結用金物Ａを用いた柱Ｇのコンクリート基礎Ｅに対する引き寄せについて具体的に説明する。
【００７４】
ここで示されている連結用金物Ａは、コンクリート基礎Ｅが平面視でＴ字状をなしており、当該Ｔ字状をなすコンクリート基礎Ｅの入れ隅部分に連結用金物Ａのプレート１０を接着し、かつ、このプレート１０に組み付けた屈曲金具２０のアーム部２２を、ホールダウン金物Ｂの備えられる柱Ｇの面Ｇａに密着するように設け、連結用金物Ａとホールダウン金物Ｂとの間に、ほぼ垂直の状態に座付きボルト４０を組み付け得るようにしたものである。
【００７５】
すなわち、前記プレート１０の上部側の中央部分に組み付けた屈曲金具２０を、当該屈曲金具２０の脚プレート部２１ａ’の側端縁をプレート１０の側端縁に合わせるように側方にある４個のねじ孔１１を用いて当該屈曲金具２０の脚部２１の下端側、すなわち脚プレート部２１ａ’をビス２４で止めつけて連結用金物Ａを構成し、この連結用金物Ａに前記と同様に座付きボルト４０を挿通用意すると共に、当該連結用金物Ａにおけるプレート１０を接着剤５０を用いてコンクリート基礎Ｅの面Ｅａに、当該プレート１０の側端を、このコンクリート基礎Ｅに直交する向きにあるコンクリート基礎Ｅ’の面に突き当てるように接着する。
【００７６】
このようにコンクリート基礎Ｅに止着された連結用金物Ａは、屈曲金具２０の脚部２１が前記コンクリート基礎Ｅ’上の土台Ｆ’の側方を沿うように起立され、アーム部２２が当該コンクリート基礎Ｅ’の面に平行な柱Ｇの面Ｇａに沿って土台Ｆ上に突き出され、座付きボルト４０の受け部を都合良く構成することができる。
【００７７】
この図９及び図１０に示される図示例は、前記構成以外の構成及び用い方を前記図１〜図８に示される連結用金物Ａの構成及び用い方と同一にしてあり、同一又は実質的に同一の構成部分に同一の番号を付して説明を省略する。
【００７８】
かかる連結用金物Ａでは、補強対象柱Ｇの下方に連結用金物Ａの接着に都合の良いコンクリート基礎Ｅの面Ｅａが存在しない場合にも、当該連結用金物Ａ、ホールダウン金物Ｂ及び座付きボルト４０を用いて、補強対象柱Ｇに必要な補強施工を確実、かつ、簡易に施すことができる。
【００７９】
ついで、図１１〜図１４に示される連結用金物Ａについて具体的に説明する。
【００８０】
この図示例に係る連結用金物Ａは、前記プレート１０の上部側に、２個の屈曲金具２０を組み付けることで、さらに、強化された連結用金物Ａを構成したものであって、２個の屈曲金具２０、２０を前記図１〜図１０に示すと同様の手法でプレート１０に備え付けて連結用金物Ａを構成した以外の構成、及び使い勝手を前記図１〜図１０と同様としてあり、同一の構成部分及び実質的に同一の構成部分には同一の番号を付して説明を省略する。
【００８１】
この図示例に係る連結用金物Ａは、前記図１〜図１０に示されるプレート１０と同一の構成からなるプレート１０の上部側に、前記図１〜図１０に示されると同一の構成からなる屈曲金具２０を並設したものであって、当該屈曲金具２０の下端側にある脚プレート部２１ａ’に備えられている４個の孔２１ｃを、プレート１０の上部側にある８個のねじ孔１１における左右にある各４個のねじ孔１１〜１１に、それぞれ連通状態になるように当該脚プレート部２１ａ’の矩形板部をプレート１０における上部側の左右に並べた状態でビス２４を用いて組み付け、当該プレート１０から上方に起立する脚部２１と、この脚部２１の上部側から土台Ｆの上方に延びるようにアーム部２２を備える倒Ｌ字状の屈曲金具２０、２０を備える連結用金物Ａを構成する。
【００８２】
また、この連結用金物Ａでは、当該連結用金物Ａにおける補強効果を増す目的、及び取り扱い時における一体性を備えるようにように各屈曲金具２０、２０のアーム部２２、２２の先端間を補強金物２６で連結してある。
【００８３】
この補強金物２６は、断面がＬ字状をなす鋼板材からなり、アーム部２２、２２の下面にわたるように添装される当て板部２６ｂと、当該当て板部２６ｂから直角に屈曲するように起立されて各アーム部２２の先端面を覆うように板部２２ａの先端及び当該板部２２ａから起立されている当該板部２２ａの両側にある補強側板部２２ｂ、２２ｂの先端を覆うように接する補強板部２６ａとを備えており、当て板部２６ｂに設けられているねじ孔２６ｃに各板部２２ａ、２２ａに設けられている孔２２ｃ〜２２ｃからビス２６ｄ〜２６ｄをねじ入れて、各屈曲金具２０、２０のアーム部２２、２２の先端側を連結するようにしてある。
【００８４】
このように構成される各連結用金物Ａは、一対の屈曲金具２０、２０を一体に備えたものとして、前記図１〜図１０において示される態様において用いることができると共に、おって、説明する図１５〜図１７の態様においても用いることができる。
【００８５】
なお、この図示例にあっては、平面視でＴ字状、十字状をなすコンクリート基礎Ｅにおける入り隅部分にあるコンクリート基礎Ｅの面Ｅａに、当該面Ｅａに直交する向きのコンクリート基礎Ｅ’の面に側端を当接させて当該連結用金物Ａのプレート１０が接着してあり、このプレート１０に組み付けられている屈曲金具２０、２０の当該コンクリート基礎Ｅ’側にある屈曲金具２０のアーム部２２の孔２３に座付きボルト４０を挿通した状態で、この屈曲金具２０のアーム部２２を、補強対象とされる柱Ｇにおけるコンクリート基礎Ｅの面Ｅａに直交する向きにある面Ｇａに沿うように備え付け、この連結用金物Ａと柱Ｇに備えられるホールダウン金物Ｂとを座付きボルト４０で引き寄せ状態に連結してある。
【００８６】
ついで、図１５〜図１７に示される連結用金物Ａについて説明する。
【００８７】
この図１５〜図１７に示される第二の発明を構成する連結用金物Ａは、コンクリート基礎Ｅに止着される接着面１０ａを備えているプレート１０と、脚部２１と該脚部２１から屈曲されたアーム部２２とを備えて、該脚部２１の下部側を前記プレート１０の上部側に対して、その横方向の所定位置で止着される倒Ｌ字状をなす屈曲金具２０とを備えて構成してある。
【００８８】
そして、この連結用金物Ａにおける前記屈曲金具２０を止着した前記プレート１０を前記コンクリート基礎Ｅに接着した際に、この屈曲金具２０の前記脚部２１が前記コンクリート基礎Ｅ上の土台Ｆの側方に沿って起立され、しかも、前記アーム部２２が前記土台Ｆ上に突出されるようにしてあって、このアーム部２２に開設されている孔２３から前記土台Ｆに固定ねじＤをねじ込むことで、この土台Ｆと前記コンクリート基礎Ｅとを連結し得るようにしてある。
【００８９】
なお、ここで連結用金物Ａの止着されるコンクリート基礎Ｅは、土台Ｆを受ける立ち上がりを備えるコンクリート基礎Ｅであれば、いかなる態様の基礎であっても良く、例えば、単独基礎、布基礎等の各種のコンクリート基礎を対象とすることができる。
【００９０】
また、ここで用いられる連結用金物Ａは、コンクリート基礎Ｅに止着される接着面１０ａを備えているプレート１０と、脚部２１と該脚部２１から屈曲されたアーム部２２とを備えて、該脚部２１の下部側を前記プレート１０の上部側に対して、その横方向の所定位置で止着される倒Ｌ字状をなす屈曲金具２０とを備えた構成としてあり、しかも、前記屈曲金具２０を止着した前記プレート１０を前記コンクリート基礎Ｅに接着した際に、この屈曲金具２０の前記脚部２１が前記コンクリート基礎Ｅ上の土台Ｆの側方に沿って起立され、かつ、前記アーム部２２が該土台Ｆ上に突出される構成としてあれば、いかなる素材によって構成してあっても、また、いかなる形状に構成してあってもよい。
【００９１】
このように構成される連結用金物Ａでは、堅牢で平滑な表面を有するコンクリート基礎面Ｅａに対して当該連結用金物Ａにおけるプレート１０を容易に止着でき、しかも、強固に止着できることから、ラグスクリュー等の固定ねじＤで、容易に、土台Ｆをコンクリート基礎Ｅに対して強固に固定することができる。
【００９２】
また、かかる連結用金物Ａでは、土台Ｆに柱Ｇが立設されている場合、その立設されている柱Ｇに直近の側方位置でも、当該土台Ｆをコンクリート基礎Ｅに対してラグスクリュー等の固定ねじＤで強固に固定することができる。
【００９３】
また、かかる連結用金物Ａでは、コンクリート基礎Ｅの両側面Ｅａ、Ｅａにプレート１０を接着することで、土台Ｆの両側から、当該柱Ｇを対をなす連結用金物Ａ、Ａで挟みこむように固定することができ、コンクリート基礎Ｅに対して土台Ｆを要請される保持力で確実に固定することができる。
【００９４】
また、前記構成に係る連結用金物Ａにあって、前記プレート１０が、その上部側に２個の前記屈曲金具２０を並列状態に止着し得るようにしてある連結用金物Ａでは、随時、必要に応じて当該プレート１０に、一個又は二個の屈曲金具２０を備え付けて各種の要請に対応させて用いることができる。
【００９５】
前記構成からなる連結用金物Ａにあって、前記屈曲金具２０が、前記土台Ｆの側方に沿う長方形状の板部２１ａと、当該土台Ｆの上面に沿う長方形状の板部２２ａとを備えており、少なくとも屈曲部を挟む前記板部２１ａ、２２ａの両側の長手縁から屈曲外側に張り出す補強側板部２１ｂ、２１ｂ、２２ｂ、２２ｂを備えるようにした連結用金物Ａでは、前記屈曲金具２０の屈曲部が当該補強側板部２１ｂ、２２ｂで効果的に補強される。
【００９６】
また、前記構成からなる連結用金物Ａにあって、前記プレート１０が縦方向に長い矩形プレート１０とした連結用金物Ａでは、コンクリート基礎Ｅの、狭い取り付け面Ｅａに対しても、当該連結用金物Ａを、容易、確実に、しかも、強固に接着することができる。
【００９７】
この図１５〜図１７に示される連結用金物Ａは、当該連結用金物Ａを用いてコンクリート基礎Ｅに対して土台Ｆを効果的に固定するものであって、上部に土台Ｆを載せかけられたコンクリート基礎Ｅにおける当該土台Ｆの側面と平行な当該コンクリート基礎Ｅの面Ｅａに前記連結用金物Ａにおけるプレート１０を接着剤５０を用いて接着し、この面Ｅａに接着されたプレート１０から当該土台Ｆの側面に沿って起立される脚部２１の上部側から当該土台Ｆの上方に突き出すアーム部２２に設けられている孔２３からラグスクリュー等の固定ねじＤを当該土台Ｆにねじ入れて、当該土台Ｆをコンクリート基礎Ｅに確実に固定し得るようにしてある。
【００９８】
かかる連結用金物Ａは、ホールダウン金物Ｂを用いることなく、このラグスクリュー等の固定ねじＤで柱Ｇに代えて土台Ｆをコンクリート基礎Ｅに固定した以外の構成を前記図１〜図１４の連結用金物Ａと同一又は実質的に同一の構成からなる連結用金物Ａを同様にコンクリート基礎Ｅに接着、用いるようにしてあり、同一又は実質的に同一の構成部分には同一の番号を付して説明を省略する。
【００９９】
なお、この図示例では、当該土台Ｆを前後方向から、より強固に支持する目的で、コンクリート基礎Ｅの両側面に連結用金物Ａ、Ａを配置し、土台Ｆを当該連結用金物Ａ、Ａの脚部２１、２１で両側から挟むようにして、固定ねじＤで固定したものであって、アンカーボルトの備えられていないコンクリート基礎Ｅ部分における土台Ｆの固定や、建物の建築後における土台Ｆの固定補強に都合良く用いることができる。
【０１００】
「試験例１」
前記プレート１０を９３ｍｍ×１８０ｍｍ、厚さが４．５ｍｍの鋼板で構成し、ねじ孔１１を、その中心が、プレート１０の上端から２０ｍｍと３０ｍｍ位置に、当該プレート１０の一方側端から９ｍｍ、３４ｍｍ、５９ｍｍ、８４ｍｍの位置となるように設けた。
また、前記屈曲金具２０を脚部２１及びアーム部２２を備える構成としてあり、脚部２１側を、下面幅が４３ｍｍ、長さが２３０ｍｍで、厚さ４．５ｍｍの鋼板製の板部２１ａの両側縁に、該板部２１ａの上端から９０ｍｍ下方位置までの間では、外面の突き出し幅を３０ｍｍとした補強側板部２１ｂを、さらに、当該３０ｍｍ幅の補強側板部２１ｂから７５ｍｍ下方位置までの間では、漸次突き出し幅を小さくした補強側板部２１ｂ’を、さらに、該補強側板部２１ｂ’から１５ｍｍ下方位置までの間では、当該補強側板部２１ｂの突き出し縁を板部２１ａに近づかせるテーパ付けをした補強側板部を設けて構成し、しかも、この補強側板部２１ｂの備えられていない脚プレート部２１ａ’を前記板部２１ａの延設部として備える構成とし、この脚プレート部２１ａ’を４３ｍｍ幅で、しかも、前記補強側板部２１ｂから５０ｍｍ下方位置まで突き出すように構成してある。
【０１０１】
また、前記アーム部２２側を、下面幅が５２ｍｍ、長さが１００ｍｍで、厚さが４．５ｍｍの鋼板製の板部２２ａの両側縁に、前記板部２１ａ側で外側面の最大突き出し幅が３４．５ｍｍの補強側板部２２ｂを設け、さらに、補強側板部２２ｂから脚部２１の側に向けて３０ｍｍ突き出し、しかも、下方に屈曲されて、縦幅が４７ｍｍの屈曲補強側板部２２ｂ’を備える構成としてある。
【０１０２】
かかる板部２１ａの背面を、屈曲補強側板部２２ｂ’、２２ｂ’間にある板部２２ａの側端に当接させるように当該屈曲補強側板部２２ｂ’、２２ｂ’間に補強側板部２１ｂを備える板部２１ａを納め入れ、両者を溶着一体に構成する。
【０１０３】
また、前記脚プレート部２１ａ’には各側端から９ｍｍで、下端から１０ｍｍと、４０ｍｍ位置とに孔中心を有する４個の孔２１ｃ〜２１ｃが設けてある。また、板部２２ａに孔２３及び２個の孔２２ｃ、２２ｃが設けてある。
【０１０４】
また、前記補強金物２６は、９５ｍｍ長さで、４．５ｍｍ厚の鋼板をＬ字状に屈曲して屈曲外面幅２６ｍｍの当て板部２６ｂと、屈曲外面幅２０ｍｍの補強板部２６ａとを備え、当て板部２６ｂに一方端部から１０ｍｍ、３３ｍｍ、６２ｍｍ、８５ｍｍ位置を中心とするねじ孔２６ｃ〜２６ｃを設けた構成としてある。
【０１０５】
なお、前記受け金物１０をコンクリート基礎Ａの面Ａａに接着して、その引張試験をしたところ、５０ｋＮの最大荷重で剥離することが確認された。
一方、前記受け金物１０による柱の補強は、概ね、その短期許容耐力が２０ｋＮ、最大耐力が４０ｋＮを目標としている。
かかる点から、前記横幅９３ｍｍを維持しながら、最大耐力２０ｋＮを確保するためには、１８０ｍｍ×40/50＝１４４ｍｍとなり、当該目標値を満足させる連結用金物Ａでは、この９３ｍｍ×１４４ｍｍ以上の接着面積を備えるようにプレート１０を構成してあることが好ましい。
【０１０６】
図１〜図８に示されるように、前記プレート１０の上部側の中央部にある４個のねじ孔１１に前記屈曲金具２０をビス２４で止着して連結用金物Ａを用意し、この屈曲金具２０のアーム部２２にある孔２３の下方から軸部４０ｂの直径が１６ｍｍの座付きボルト４０を挿通し、このボルト４０を柱Ｇに備え付けられるホールダウン金物Ｂのボルト挿通部３３に円滑に挿通できるように当該連結用金物Ａの屈曲金具２０を柱Ｇの面Ｇａに沿わせるように、プレート１０の接着面１０ａを二液型エポキシ樹脂接着剤４０（スイスのシーカ社製のシーカデュア３０）を用いて柱Ｇの起立されている土台Ｆ下のコンクリート基礎Ｅの面Ｅａの上端に、該プレート１０の上端を合わせるように押しつけ、３個の孔１２から仮止めビス２５をコンクリート基礎Ｅにねじ入れて、前記プレート１０を当該コンクリート基礎Ｅの面Ｅａに押しつけ状態に維持して接着させた。
【０１０７】
この連結用金物Ａの接着用意されたコンクリート基礎Ｅの面Ｅａに直交する向きにある柱Ｇの面Ｇａに、前記構成のホールダウン金物Ｂを当該ホールダウン金物Ｂの前記ボルト挿通部３３にボルト４０の軸部４０ｂを受け入れるようにビス３４で止めつけ用意する。
【０１０８】
なお、ここで用いたホールダウン金物Ｂは、縦向きに長い１６０ｍｍ×４０ｍｍの矩形のプレート部３０を６ｍｍ厚の鋼板で構成し、このプレート部３０の下部側に、高さが３８．５ｍｍで、長さが６０ｍｍのＵ字状部材を、厚さが４．５ｍｍの鋼材で構成し、このＵ字状部材の各長手縁を前記プレート部３０に溶着してボルト挿通部３３とし、これを５本のビス３４で柱Ｇに止着した。このホールダウン金物Ｂを１５ｋＮの引っ張り耐力を備えるものとし、このホールダウン金物Ｂのボルト挿通部３３に挿通したボルト４０のねじ部４０ｃにナット４１をねじ込んで、柱Ｇをコンクリート基礎Ｅに引き寄せ、その引張耐力を測定した。
【０１０９】
前記条件における各試験体の降伏荷重、最大荷重の三分の二と、これらの短期許容耐力を表１に示す。
【０１１０】
【表１】
0005238325.tif 000002
【０１１１】
この試験例で、当該連結用金物Ａが、要請される引張耐力を柱Ｆにもたらすことが認められた。
【０１１２】
「試験例２」
図９及び図１０に示されるように、前記プレート１０及び屈曲金具２０を用い、かつ、前記屈曲金具２０をプレート１０の上部側の一方側部にある４個のねじ孔１１〜１１にビス２４〜２４で前記と同一条件で止着して連結金物Ａを構成し、しかも、当該屈曲金具２０のアーム部２２がコンクリート基礎Ｅの面Ｅａに直交する柱Ｇの面Ｇａに沿うように、前記と同一条件で当該連結用金物Ａを当該コンクリート基礎Ｅに備え付け、前記条件と同一の条件で備えられた前記と同一のホールダウン金物Ｂとの間で、前記と同一条件で引張耐力を測定した。
【０１１３】
この試験例における各試験体の降伏荷重、最大荷重の三分の二と、これらの短期許容耐力を表２に示す。
【０１１４】
【表２】
0005238325.tif 000003
【０１１５】
この試験例で、当該連結用金物Ａが、要請される引張耐力を柱Ｆにもたらすことが認められた。
【０１１６】
「試験例３」
図１１〜図１４に示すように、前記プレート１０及び２個の前記屈曲金具２０を用意し、この屈曲金具２０、２０をプレート１０の上部側に並設するように８個のねじ孔１１〜１１にビス２４〜２４で前記と同一条件で、各屈曲金具２０、２０を止着し、しかも、各屈曲金具２０、２０のアーム部２２の先端に補強板部２２ｂが当接するように当該アーム部２２の下面に前記補強金物２６の当て板部２６ｂの上面を押し当ててビス２６ｄ、２６ｄで止着して連結用金物Ａを構成し、
しかも、当該一方の屈曲金具２０のアーム部２２がコンクリート基礎Ｅの面Ｅａに直交する柱Ｇの面Ｇａに沿うように、前記と同一条件で当該連結用金物Ａを当該コンクリート基礎Ｅに備え付けると共に、前記ホールダウン金物Ｂを、縦向きに長い１９５ｍｍ×４０ｍｍの矩形のプレート部３０を６ｍｍ厚の鋼板で構成し、このプレート部３０の下部側に、高さが３８．５ｍｍで、長さが６０ｍｍのＵ字状部材を、厚さが４．５ｍｍの鋼材で構成し、このＵ字状部材の各長手縁を前記プレート部３０に溶着してボルト挿通部３３とし、これを７本のビス３４で柱Ｇに止着し、このホールダウン金物Ｂを２０ｋＮの引っ張り耐力を備えるものとし、前記連結用金物Ａのアーム部２２の孔２３に挿通した座付きボルト４０を当該ホールダウン金物Ｂのボルト挿通部３３に挿通し、この挿通部３３から上方に突き出されているボルト４０のねじ部４０ｃにナット４１をねじ込んで、柱Ｇをコンクリート基礎Ｅに引き寄せ、その引張耐力を測定した。
【０１１７】
この試験例における各試験体の降伏荷重、最大荷重の三分の二と、これらの短期許容耐力を表３に示す。
【０１１８】
【表３】
0005238325.tif 000004
【０１１９】
この試験例で、当該連結用金物Ａが、要請される引張耐力を柱Ｆにもたらすことが認められた。
【０１２０】
「試験例４」
図１５〜図１７に示されるように、前記プレート１０及び屈曲金具２０を用い、かつ、前記屈曲金具２０をプレート１０の上部側の中央部にある４個のねじ孔１１〜１１にビス２４〜２４で前記と同一条件で止着して連結用金物Ａを構成し、この連結用金物Ａの屈曲金具２０でコンクリート基礎Ｅ上にある土台Ｆを前後から挟むように前記と同一条件で当該連結用金物Ａを当該コンクリート基礎Ｅに備え付け、この各連結用金物Ａのアーム部２２の孔２３から前記土台Ｆに７５ｍｍ長さの固定ねじＤ（ラグスクリュー）をねじ入れて、コンクリート基礎Ｅに土台Ｆを固定して、その引張耐力を測定した。
【０１２１】
この試験例における各試験体の降伏荷重、最大荷重の三分の二と、これらの短期許容耐力を表４に示す。
【０１２２】
【表４】
0005238325.tif 000005
【０１２３】
この試験例で、土台Ｆがコンクリート基礎Ｅに対して当該連結用金物Ａによって、要請される引張耐力を備えた状態で固定されることが認められた。
【０１２４】
なお、前記引張試験例では、６体の試験体の降伏荷重の平均値に標準偏差をもとに算出したばらつき係数（一種の安全率）を乗じて降伏荷重の短期許容耐力を測定し、
また、６体の試験体の最大荷重に三分の二を乗じた値の平均値に標準偏差をもとに算出したばらつき係数（一種の安全率）を乗じて最大荷重の三分の二の短期許容耐力を測定し、
ここで測定した短期許容耐力のうちの、値の小さい許容耐力を当該連結金物の許容耐力とした。
【０１２５】
かかる構造に用いられる連結用金物Ａでは、通例、降伏荷重の平均値から導き出される短期許容耐力が、最大荷重の三分の二の平均値から導きだされる値よりも小さく、この降伏荷重から求められる値が当該連結金物Ａの許容耐力とされる。
また、巨大地震に際して、連結用金物Ａに前記許容耐力を超える力が作用した場合でも、前記最大荷重から導かれる許容耐力は、最大荷重の三分の二に安全率を乗じていることから、概ね、最大荷重の二分の一に相当する許容耐力であり、この値よりも小さい前記降伏荷重から導き出される許容耐力の値を許容耐力の基準として本実施例に係る連結用金物Ａの設計をしてあり、基準とされる許容耐力の２倍に近い許容耐力を備える連結用金物を構成することができる。
【図面の簡単な説明】
【０１２６】
【図１】典型的な連結用金物を用いている状態を示す斜視図
【図２】同要部を断面して示した側面図
【図３】同要部部品の分離斜視図
【図４】同要部部品の一部を示す斜視図
【図５】同屈曲金具の側面図
【図６】同平面図
【図７】同正面図
【図８】同プレートの正面図
【図９】典型的な連結用金物を用いている他の使用状態を示す斜視図
【図１０】同要部を断面して示した側面図
【図１１】典型的な連結用金物を用いている更に他の使用状態を示す斜視図
【図１２】同要部を断面して示した側面図
【図１３】同要部部品の分離斜視図
【図１４】同連結用金物の部品分離斜視図
【図１５】典型的な連結用金物を用いている更に他の使用状態を示す斜視図
【図１６】同要部を断面して示した側面図
【図１７】同要部部品の分離斜視図
【符号の説明】
【０１２７】
Ａ  連結用金物
Ｂ  ホールダウン金物
Ｅ  コンクリート基礎
Ｆ  土台
Ｇ  柱
１０  プレート
２０  屈曲金具
２１  脚部
２２  アーム部
２３  孔
３３  ボルト挿通部
４０  ボルト
【図１】
0005238325.tif 000006
【図２】
0005238325.tif 000007
【図３】
0005238325.tif 000008
【図４】
0005238325.tif 000009
【図５】
0005238325.tif 000010
【図６】
0005238325.tif 000011
【図７】
0005238325.tif 000012
【図８】
0005238325.tif 000013
【図９】
0005238325.tif 000014
【図１０】
0005238325.tif 000015
【図１１】
0005238325.tif 000016
【図１２】
0005238325.tif 000017
【図１３】
0005238325.tif 000018
【図１４】
0005238325.tif 000019
【図１５】
0005238325.tif 000020
【図１６】
0005238325.tif 000021
【図１７】
0005238325.tif 000022